(57)【要約】【課題】  通常のアナログ放送の選局時間より著しく長いデジタル放送の選局時間を有効に利用することが可能なデジタル放送受信装置を提供する。【解決手段】  デジタル画像コンテンツを含む表示コンテンツを外部より取得する表示コンテンツ取得手段と、デジタル放送の選局操作をトリガーとしてデジタル放送の映像出力から前記表示コンテンツの映像出力に切り替え、選局されたチャンネルの映像の復号が終了して映像信号の同期確立を検出する選局完了時点で再び選局されたデジタル放送の映像出力に切り替える表示コンテンツ切り替え手段と、選局操作時刻から選局完了時刻までの選局時間中に、前記表示コンテンツを復号して表示する表示コンテンツ表示手段と、を有する。【選択図】  図３
2005295028.tif 000002
【特許請求の範囲】
【請求項１】
デジタル放送を受信するデジタル放送受信装置であって、
デジタル画像コンテンツを含む表示コンテンツを外部より取得する表示コンテンツ取得手段と、
前記表示コンテンツを記憶する表示コンテンツ記憶手段と、
デジタル放送の選局操作をトリガーとしてデジタル放送の映像出力から前記表示コンテンツの映像出力に切り替え、選局されたチャンネルの映像の復号が終了して映像信号の同期確立を検出する選局完了時点で再び選局されたデジタル放送の映像出力に切り替える表示コンテンツ切り替え手段と、
選局操作時刻から選局完了時刻までの選局時間中に、前記表示コンテンツを復号して表示する表示コンテンツ表示手段と、
を有することを特徴とするデジタル放送受信装置。
【請求項２】
前記表示コンテンツ表示手段は、複数の表示コンテンツの中から、表示条件に合致する表示コンテンツを検索して選択する表示コンテンツ選択手段を有することを特徴とする請求項１記載のデジタル放送受信装置。
【請求項３】
前記表示条件は、任意時点からの選局操作回数であり、前記表示コンテンツ選択手段は、前記選局操作回数に応じて表示コンテンツを選択することを特徴とする請求項２記載のデジタル放送受信装置。
【請求項４】
前記表示条件は、選局操作が行われた時刻を含む任意の時刻情報であり、前記表示コンテンツ選択手段は、前記選局操作が行われた時刻を含む任意の時刻情報に応じて表示コンテンツを選択することを特徴とする請求項２記載のデジタル放送受信装置。
【請求項５】
前記表示条件は、選局操作前に視聴していたチャンネルまたは番組を特定する情報であり、前記表示コンテンツ選択手段は、前記選局操作前に視聴していたチャンネルまたは番組を特定する情報に応じて表示コンテンツを選択することを特徴とする請求項２記載のデジタル放送受信装置。
【請求項６】
前記表示条件は、選局操作後に視聴するチャンネルまたは番組を特定する情報であり、前記表示コンテンツ選択手段は、前記選局操作後に視聴するチャンネルまたは番組を特定する情報に応じて表示コンテンツを選択することを特徴とする請求項２記載のデジタル放送受信装置。
【請求項７】
前記表示コンテンツは音声付きであり、前記表示コンテンツ切り替え手段は、音声出力の切り替えも行うことを特徴とする請求項１〜６のいずれかに記載のデジタル放送受信装置。
【請求項８】
デジタル放送を受信するデジタル放送受信装置のコンテンツ表示方法であって、
デジタル画像コンテンツを含む表示コンテンツを外部より取得するステップと、
デジタル放送の選局操作をトリガーとしてデジタル放送の映像出力から前記表示コンテンツの映像出力に切り替え、前記表示コンテンツを復号して表示するステップと、
選局されたチャンネルの映像の復号が終了して映像信号の同期確立を検出した後、選局されたデジタル放送の映像出力に切り替えるステップと、
を含むことを特徴とするデジタル放送受信装置のコンテンツ表示方法。
【発明の詳細な説明】
【技術分野】
【０００１】
本発明は、デジタル放送受信装置及びそのコンテンツ表示方法に関し、特に、選局時間に放送番組以外のコンテンツを表示するデジタル放送受信装置及びそのコンテンツ表示方法に関する。
【背景技術】
【０００２】
デジタル放送は、ＭＰＥＧ２やＭＰＥＧ４等のデジタル圧縮技術を使用し番組を放送しているが、ＴＶ(テレビ）の視聴者が選局操作をした後、選局した映像がＴＶ画面に表示されるまでの時間がアナログ放送に比べて長く、ＴＶ視聴者が通常行うチャンネルザッピング（漠然と期待の番組を探す為に、リモコン等でランダムまたはＴＶチャンネルの昇順、降順に選局し、番組を瞬時見た後に視聴するＴＶチャンネルを決める方法）に時間がかかりすぎるという問題がある。
【０００３】
これを補う手段として放送番組と共にインバンドで電子番組情報（以下、ＥＰＧと称する）を送信し、デジタル放送受信機でこれを受信して番組表をＴＶ画面に表示する方法が実用化されている。
さらに、予め番組をジャンルコードで分類しておき、視聴者がジャンル検索を行うことにより希望の番組を絞り込む方法も実用化されている。
しかし、これらはいずれも選択のための操作が必要であり、チャンネルザッピングの利便性や簡易性に劣る。従来に比較して長い選局時間はデジタル放送方式上避けられず、デジタル放送規格（例えば、非特許文献１参照）によればＢＳデジタル放送受信やＣＳ１１０°放送受信の場合の選局の最大時間は１．７秒となる。
【０００４】
ここで、従来のデジタル放送受信装置とその選局動作について説明する。
図１は、従来のＢＳデジタル放送受信装置の機能構成を示すブロック図である。このＢＳデジタル放送受信装置は、「ＢＳデジタル放送受信装置」の電波産業会（ＡＲＩＢ）標準規格であるＡＲＩＢ  ＳＴＤ−Ｂ２１  １．０版（非特許文献１）に準拠する。
一方、ＣＡＴＶ用ＢＳデジタル放送受信機の仕様と構成は、「デジタル有線テレビジョン放送  ＢＳ／広帯域ＣＳ及び地上デジタル対応受信装置」  日本ＣＡＴＶ技術協会（ＪＣＴＥＡ）ＪＣＴＥＡ ＳＴＤ−００７−４．０（非特許文献２）に規定されているが、衛星放送デジタル放送受信機とＣＡＴＶ用ＢＳデジタル放送受信機では主にデジタル放送受信機のフロントエンド部が異なる程度である。
【０００５】
以下、ＣＡＴＶのＢＳ、広域ＣＳデジタル放送の受信（非特許文献２の規格）について説明する。
図１に示すように、デジタル放送受信装置は、主に、フロントエンド部１０、ディスクランブル部２０、ＭＰＥＧ２復号処理部３０、ＥＰＧ・基本データデコード部４０、映像復号処理部５０、ＨＤ−ＳＤダウンコンバータ５１、音声復号処理部６０、ビデオ・グラフィックエンジン部７０、制御ＣＰＵ８０、などで構成される。
【０００６】
フロントエンド部１０は、６４ＱＡＭ変調されたデジタル放送波をチューニングし６４ＱＡＭを復調しエラー訂正を行う。
ディスクランブル部２０は、ＭＵＬＴＩ−２方式でスクランブルされたデータを復号する。ＭＰＥＧ２復号処理部３０は、ＭＰＥＧ２−ＴＳ形式で配信されるデータからセクション形式のＰＳＩ、ＳＩデータを取得し、ＰＭＴで指定した映像ＥＳのＰＩＤ、音声ＥＳのＰＩＤのＥＳをそれぞれの復号処理部へ送信する。ＥＰＧ・基本データデコード部４０は、ＭＰＥＧ−ＴＳストリームの中からＳＩ、ＰＳＩデータを受信する。
【０００７】
映像復号処理部５０は、ＭＰＥＧ２ストリームをデコードし、ビデオフォーマットに変換する。ＨＤ−ＳＤダウンコンバータ５１は、ＨＤＴＶをＳＤＴＶにダウンコンバートする。
【０００８】
音声復号処理部６０は、ＭＰＥＧ２−ＢＣ、ＭＰＥＧ  ＡＡＣ仕様のオーディオデータを復号し、モノ、ステレオなどのアナログオーディオに変換する。
【０００９】
ビデオ・グラフィックエンジン部７０は、表示機能を実現する為、動画プレーン、静止画プレーン、文字図形プレーン、字幕プレーンの表示を行う。
【００１０】
動画静止画表示切り替えプレーンの制御により、合成されたビデオフォーマット（コンポーネント信号（Ｙ，Ｐｂ，Ｐｒ）やＮＴＳＣコンポジット信号）に変換して出力される。
動画プレーンに選局中のビデオ、静止画プレーンにデータ放送の静止画、字幕プレーンに字幕放送、文字図形プレーンに文字放送のコンテンツを表示することができる。制御ＣＰＵ８０は、上記各部の動作制御を行う。
【００１１】
次に、上記構成のデジタル放送受信装置の受信動作について説明する。図２は、従来のＢＳデジタル放送受信装置の受信動作手順を示すフローチャートである。
【００１２】
はじめに、リモコン９０等の操作により、選局チャネルの番号が入力されると（ステップＳ３０１）、デジタル放送受信装置内部に記録されているサービスリスト（サービスＩＤ、放送波周波数−ＴＳＩＤ、Ｎｅｔｗｏｒｋ  ＩＤ等）を参照して選局チャンネルのサービスＩＤを取得する。
【００１３】
次に、Ｇ−ＴＳストリームに存在するかどうかを検索する（ステップＳ３０３）。
存在しない場合は、ＳＴＢ内部のＮＶＲＡＭに記憶したＮＩＴ情報を参照し（ステップＳ３０４）、当該サービスＩＤが存在する放送波の周波数を取得し、そのチャネル情報をフロントエンド部に設定してチューニングを行う。
【００１４】
チューニング、６４ＱＡＭ復調、エラー訂正終了後、ＢＳデジタル放送ストリームのＴＳＭＦを検出し、当該サービスＩＤのスロットを受信して（ステップＳ３０５）、ＭＰＥＧ−ＴＳの中のＰＡＴを取得する（ステップＳ３０６）。
一方、存在する場合は上記の手順を実行せずにステップＳ３０７へ移行する。
【００１５】
次に、ＰＡＴに記述されているＣＡ＿ＰＩＤを取得し、ＥＣＭを受信する（ステップＳ３０７）。
更に、ＰＡＴに記述されているＰＭＴのＰＩＤを取得し、ＰＭＴを受信する（ステップＳ３０８）。
【００１６】
次に、ＰＭＴに限定受信方式記述子が記述されているかどうかを検索し（ステップＳ３０９）、記述されている場合はＣＡ−ＰＩＤを取得しＥＣＭを受信する（ステップＳ３１０）。受信したＥＣＭはＩＣカードへ転送してデイスクランブル鍵Ｋｓを取得する（ステップＳ３１１）。
【００１７】
デイスクランブル鍵Ｋｓをディスクランブル部２０へ書き込み、当該チャンネルのデイスクランブルを解除して（ステップＳ３１２）、当該ストリームがＭＰＥＧ２復号処理部３０に入力され、ビデオストリーム（ビデオＥＳ）、オーディオストリーム（オーディオＥＳ）が抽出される（ステップＳ３１３）。
ビデオストリームは映像復号処理部５０へ、音声ストリームは音声復号処理部６０へ入力され、それぞれ復号したビデオフォーマットまたはオーディオフォーマットに変換される。
【００１８】
次に、映像復号処理部５０は、ＭＰＥＧ  ＥＳのＧＯＰを検出し、シーケンスヘッダをデコーダに設定する（ステップＳ３１４）。
更に、タイムスタンプを検出して映像同期を行う（ステップＳ３１５）。Ｃｌｏｓｅｄ  ＧＯＰを検出し、映像の同期確立を検出すると（ステップＳ３１６）、ＴＶ映像出力のミュートを解除する（ステップＳ３１７）。
【００１９】
【非特許文献１】「ＢＳデジタル放送受信装置」  社団法人電波産業会  ＡＲＩＢ  ＳＴＤ−Ｂ２１  １．０版
【非特許文献２】「デジタル有線テレビジョン放送  ＢＳ/広帯域ＣＳ及び地上デジタル対応受信装置」  日本ＣＡＴＶ技術協会  ＪＣＴＥＡ ＳＴＤ−００７−４．０
【非特許文献３】「ＢＳ／広帯域ＣＳデジタル放送の送信・運用条件」  社団法人電波産業会  ＡＲＩＢ  ＳＴＤ  Ｂ２０  １．０版
【発明の開示】
【発明が解決しようとする課題】
【００２０】
上記非特許文献３によれば、図２のフローチャートに示したように、上記のシーケンスは最大１．７秒かかり、通常のアナログＴＶ放送の選局時間（３０〜５０ｍｓ程度）より数十倍長い。これは、チャンネルザッピングに時間がかかるばかりではなく、選局が完了するまでに視聴者の時間が無為に浪費されるという問題もあった。
【００２１】
そこで本発明は上記課題に鑑みてなされたものであり、デジタル放送の選局時間（選局直後の放映が表示されない時間）中に、外部より取得した表示コンテンツを表示させることにより、通常のアナログ放送の選局時間より著しく長いデジタル放送の選局時間を有効に利用することが可能なデジタル放送受信装置を提供することを目的とする。
【課題を解決するための手段】
【００２２】
請求項１に記載のデジタル放送受信装置は、デジタル放送を受信するデジタル放送受信装置であって、デジタル画像コンテンツを含む表示コンテンツを外部より取得する表示コンテンツ取得手段と、前記表示コンテンツを記憶する表示コンテンツ記憶手段と、デジタル放送の選局操作をトリガーとしてデジタル放送の映像出力から前記表示コンテンツの映像出力に切り替え、選局されたチャンネルの映像の復号が終了して映像信号の同期確立を検出する選局完了時点で再び選局されたデジタル放送の映像出力に切り替える表示コンテンツ切り替え手段と、選局操作時刻から選局完了時刻までの選局時間中に、前記表示コンテンツを復号して表示する表示コンテンツ表示手段と、を有することを特徴とする。
【００２３】
請求項８に記載のデジタル放送受信装置のコンテンツ表示方法は、デジタル放送を受信するデジタル放送受信装置のコンテンツ表示方法であって、デジタル画像コンテンツを含む表示コンテンツを外部より取得するステップと、デジタル放送の選局操作をトリガーとしてデジタル放送の映像出力から前記表示コンテンツの映像出力に切り替え、前記表示コンテンツを復号して表示するステップと、選局されたチャンネルの映像の復号が終了して映像信号の同期確立を検出した後、選局されたデジタル放送の映像出力に切り替えるステップと、を含むことを特徴とする。
【発明を実施するための最良の形態】
【００２４】
以下、本発明の実施の形態に係るデジタル放送受信装置及びコンテンツ表示方法について、図面を用いて詳細に説明する。
図３は、本発明の実施の形態に係るデジタル放送受信装置の機能構成を示すブロック図である。
【００２５】
本発明の実施の形態に係るデジタル放送受信装置は、図３に示すように、図１に示す従来のデジタル放送受信装置と比較して、表示コンテンツ取得手段としてのＵＳＢインターフェース１、ケーブルモデム２、電話モデム３、表示コンテンツや表示シナリオの記憶手段としてのメモリ４、が付加され、更に、表示コンテンツ切り替え手段および表示コンテンツ表示手段としての制御ＣＰＵ５内に、表示コンテンツ選択手段としての表示条件検索処理部５０１、モノメディア復号処理部５０２、ビデオ処理部５０３を含む点が異なる。
【００２６】
図３において、ＵＳＢインターフェース１、ケーブルモデム２、電話モデム３は、選局時間に表示するための表示コンテンツを取得するための手段である。
デジタル放送受信装置の操作者は、ＵＳＢインターフェース１、ケーブルモデム２、電話モデム３、の何れか１つ又は複数を用いて表示コンテンツ（符号化された画像データ、以下、モノメディアと言う）を取得する。取得した表示コンテンツはメモリ４に格納される。なお、上記表示コンテンツは音声付きでもよい。
【００２７】
また、ＭＰＥＧ２復号処理部３０でＭＰＥＧ２映像が復号されて映像信号と同期が確立し、正常な映像が確立した事を示す信号（即ち、選局完了を示す信号）は、映像復号処理部５０から制御ＣＰＵ５へのパス７を介して伝送される。この信号により、選局処理が終了した事を認識できる。
【００２８】
一方、制御ＣＰＵ５が復号した表示コンテンツのデータは、パス８を介してビデオ・グラフィックエンジン部７０の静止画プレーンや文字図形プレーンなどに書き込まれる。
なお、ＵＳＢインターフェース１には、フラッシュメモリカード１２０等を装着して、表示コンテンツを取得することが可能である。
【００２９】
表示コンテンツは、ＭＰＥＧ２−Iフレームによる静止画符号化、ＪＰＥＧによるビットマップ符号化、ＭＮＧによるアニメーショングラフィック符号化等を行ったモノメディアデータであり、デジタル放送受信装置に取り込んで、ソフトウェアまたは専用ハードウェアでデコードする。
【００３０】
次に、上記構成のデジタル放送受信装置における選局時間中のコンテンツ表示動作について説明する。
図４は、本発明の実施の形態に係るデジタル放送受信装置における選局時間中のコンテンツ表示動作手順を示すフローチャートである。
この手順は、図２のフローチャートに示した従来の選局処理中（即ち、選局時間中）に並行して実行される処理である。
本実施の形態では、一例として、フラッシュメモリカード１２０からメモリ４に予めロードされた表示コンテンツを、デジタル放送受信装置から出力する手順を説明する。
【００３１】
はじめに、デジタル放送受信装置の操作者の選局操作をトリガーとして、図２のフローチャートに示した通常の選局処理手順の開始と同時に、選局時間中のコンテンツ表示処理が開始される（ステップＳ１０１）。
なお、操作者が行う選局は、ＮＩＴに記述されるサービスＩＤに変換されて処理されるため、サービスＩＤの入力と同等の動作となる。
【００３２】
次に、表示条件検索処理部５０１は、検索条件ｉで表示シナリオの表示条件項の検索を行い（ステップＳ１０２）、表示条件がヒットするか否かを判断する（ステップＳ１０３）。
ここで、表示条件検索処理部５０１の機能および表示シナリオについて詳細に説明する。
【００３３】
図５は、本発明の実施の形態に係るデジタル放送受信装置における制御ＣＰＵ５内のプログラムで実現された表示条件検索処理部５０１の機能構成を概念的に示す模式図である。
表示条件検索処理部５０１は、デジタル放送受信装置の操作者の選局操作［１］をトリガーとして、選局操作時におけるデジタル放送受信機の状態を取得し、表示シナリオの各表示シナリオ項目の条件を以下の各検索条件（I、II、III、IV）で検索する［２］。
検索条件I：「次選局チャンネル番号或いは番組名」
検索条件II：「当該選局操作の前に視聴したチャンネル番号或いは番組名」
検索条件III：「選局回数カウンター」
検索条件IV：「現在日時」
【００３４】
この各検索条件（I、II、III、IV）に基づいて、表示シナリオにおける表示シナリオ項目の表示条件（１〜ｎ）を、検索優先順位として、例えば、I、II、III、IVの順に検索し、条件を満たす表示シナリオ項目を取得する［３］。
そして、検索でヒットした表示シナリオ項目の表示コンテンツファイル名に基づいて、該当する表示コンテンツのファイルを読み出す［４］。
【００３５】
このようにして読み出された表示コンテンツファイルの映像または音声は、モノメディア復号処理部５０２に転送され［５］、ビデオ処理部５０３で映像データまたは音声データが復号され［６］、ビデオ（映像）またはオーディオ（音声）として出力される。
【００３６】
ここで、表示コンテンツとは、デジタル放送受信装置の選局時間にＴＶ１２０の画面に表示されるコンテンツで、デジタル放送受信で復号可能なデジタル化された静止画、ビデオ、音声などであり、ＪＰＥＧ、ＧＩＦ、ＭＮＧ、ＰＮＧなどのモノメディアである。
表示コンテンツは、単一または複数タイプのモノメディアで、且つ単一または複数個のモノメディアで構成される。
表示コンテンツの具体例としては、操作者が所有するデジタルカメラの写真、ＣＡＴＶオペレータが準備するＣＭ画像、衛星放送事業者が準備するＣＭ画像、などやこれらに音声が付いたものである。
【００３７】
表示シナリオとは、表示コンテンツと個々の選局操作の関連付けを行うためのデータテーブルであり、単一または複数の表示シナリオ項目で構成される。
それぞれの項目について説明する。表示シナリオ番号は、個々の表示シナリオ項目を一義的に識別する番号である。
【００３８】
表示コンテンツファイル名は、表示シナリオ番号に対応する表示コンテンツデータの題名であり、通常はファイル名等を使用する。表示条件は、表示シナリオ項目に選局操作の識別データを指定するもので、選局操作の関連付けを行う条件となる。
【００３９】
検索条件I：「次選局チャンネル番号或いは番組名」
次選局チャンネル番号は、リモコンや本体キーを用いた視聴者からの選局操作により入力されたチャンネル番号を、制御ＣＰＵ５で選局番号処理プログラムが実行されることにより、メモリ４に記録される。さらに、デジタル放送で配信されているＥＩＴデータ（デジタル放送受信機が記憶、保存している）を参照して番組名（イベントＩＤ）が取得できる。
【００４０】
検索条件II：「当該選局操作の前に視聴したチャンネル番号或いは番組名」
通常、デジタル放送受信機は、リモコンや本体キーを用いた視聴者からの選局操作により有効なチャンネル番号が入力された場合、直ちに選局動作に入り現在視聴中の映像は中断される。前選局チャンネル番号はこれまで視聴していたチャンネルの番号で、通常、放送サービスの種別（地上デジタル放送やＢＳデジタル放送などを識別するコード）とチャンネル番号で構成されデジタル放送受信機のメモリに記録される。また、既に取得したこれまで視聴していた番組名（イベントＩＤ）もメモリに記録される。
【００４１】
検索条件III：「選局回数カウンター」
リモコン受信部から受信したリモコンコード等から選局情報を識別（入力された数字の桁数や放送サービスを識別するコード）し、選局の度にカウンターを加算（或いは減算）する。特定時刻からの選局操作の回数は、選局回数カウンターをインクリメントし、この回数が表示シナリオ番号と一致する表示シナリオ項目を検索する。選局操作回数には、視聴者の選局操作回数だけでなく、電源ＯＮ／ＯＦＦや他のリモコンキー操作などを含めることもできる。
【００４２】
検索条件IV：「現在日時」
デジタル放送受信機に内蔵された時計（図３の構成においては制御ＣＰＵのクロックをカウントダウンし時刻情報を生成する）で通常、デジタル放送波の中のＴＯＴ（Time Offset Table）を受信し制御ＣＰＵの時刻と日時を校正している。現在日時は、リモコンや本体キーからの入力をトリガーとして選局操作が行なわれた時刻がメモリに記録されたものである。また、
例えば、表示条件検索処理部５０１は、当該選局操作が行われた現在日時と、表示シナリオの表示条件（例えば、予め設定された日時または時間帯など）と比較し、条件を満たす場合、当該表示シナリオ項目番号が検索にヒットしたと判断する。
【００４３】
表示条件検索処理部５０１の検索優先順位の設定は、衛星放送デジタル放送受信機の場合は放送事業者や視聴者、ＣＡＴＶの場合はＣＡＴＶオペレータや視聴者が任意に設定できる。
但し、放送事業者やＣＡＴＶオペレータが行う場合は、一方的に行うのではなく、デジタル放送受信装置の操作者（即ち、視聴者）の許可を得て行うような構成であることが好ましい。
【００４４】
また、表示シナリオの取得法は以下の（１）〜（３）の通りである。
（１）  デジタル放送受信機が有する通信機能（図３のＵＳＢ、電話モデム、ケーブルモデム）を使用し、デジタル放送受信機内のメモリ４に記録する。
（２）   デジタル放送のＴＳ内のデータとして配信し、デジタル放送受信機が放送波として受信し、図３のＥＰＧ，基本データデコード部４０の出力を制御ＣＰＵが読み取り、メモリ４に記録する。
（３）  デジタル放送受信のプログラムにデフォルトの条件を設定し、或いはこのデフォルト条件を画面とリモコンを使用し、視聴者による編集を行い、この結果をメモリ４に記憶する。
デフォルトの表示条件とは図５中、表示シナリオがデジタル放送受信機に読み込まれない場合にデジタル放送受信機のプログラムが初期値として持つ表示シナリオで、たとえば下記表１の値を用意する。
【表１】
2005295028.tif 000003
【００４５】
上記表１の表示シナリオ番号は、表示コンテンツのデジタル放送受信機へ読み込み順を示し、表示コンテンツファイル名は読み込み順に対応したファイル名（ファイル１、ファイル２、・・・）が付けられる。
すなわち、コンテンツをメモリに取り込んだ状態は制御ＣＰＵで実行されるプログラムによって、表示条件の列が未定義の表形式のデータが作成される。
デフォルトの表示条件とは表示条件の列を初期値として条件III（選局回数カウンター）に設定する。これにより、表示シナリオは選局の度に表示シナリオ番号を比較、参照し、一致した番号のファイル名を知ることができる。選局回数カウンターは表示シナリオ番号の最大値に達すると初期値１に戻るカウンターである。
【００４６】
表示シナリオの作成は以下の通りである。
表示コンテンツがデジタル放送受信機に読み込まれると、表１の表形式のデータを、制御ＣＰＵ５の実行プログラム（メモリ４に記録されているプログラム）が作成する。また、この読み込まれた表示コンテンツがファイルとしてメモリ４に記録される。
そして、表示コンテンツの読み込み時、あるいは、表示コンテンツが読み込まれた後に、上記表示シナリオの取得法で得られた表示コンテンツファイル名や表示条件がそれぞれ記録される。
【００４７】
表示シナリオの検索は以下の通りである。
表示シナリオの検索はメモリ４に記録されたプログラムを制御ＣＰＵ５で実行することにより実現される。
上記検索は選局操作を本プログラムが検出することにより開始され、これをトリガーとして表示条件検索処理部（処理プログラム）５０１が起動され、視聴者が入力した次選局番号と前選局番号とを保存し、選局回数カウンターをカウントアップ（或いはダウン）し、現在の日時を更新し、所定のレジスター（メモリ４上のプログラム変数格納領域）に保存する。
【００４８】
その後、表示条件検索処理部５０１で設定した優先順位（例えば、図５の検索優先順位）に従い、表示シナリオの表示条件の列を表示シナリオ番号の順に比較を行い、条件が一致した行の表示コンテンツファイル名を抽出し、この抽出された表示コンテンツファイル名をキーインデックスとして、複数のファイルで構成されている表示コンテンツの中から、表示シナリオの表示コンテンツファイル名と一致するファイルを読み出すことができる。
【００４９】
図５中に示した表示シナリオにおいて、各表示条件の内容は以下の表２の通りである。
表示条件は、検索条件番号及び検索条件の説明と検索データで構成され、メモリ４に記録、保存される。
【表２】
2005295028.tif 000004
【００５０】
次に、図４のフローチャートに戻り説明を続行する。
表示条件がヒットした場合、制御ＣＰＵ５は、表示条件検索処理部５０１で検索してヒットした表示シナリオ項目に記述された表示コンテンツ（画像コンテンツはＪＰＥＧ、ＧＩＦ、ＰＮＧなどの画像データである）ファイル名のデジタル画像データを読み取り、モノメディア復号処理部５０２に転送する（ステップＳ１０４）。
モノメディア復号処理部５０２は、表示コンテンツデータの復号処理を行い、ＣＬＵＴ、ＲＧＢ等のデジタル画像フォーマットに復号される（ステップＳ１０５）。
【００５１】
復号されたモノメディア画像データは、Ｙ、Ｐｂ、Ｐｒ等のビデオフォーマットに変換され、ビデオ処理部５０３の出力は、選局チャンネルから表示コンテンツへ切り替えられる（ステップＳ１０６）。なお、表示コンテンツが音声付きであれば、オーディオ（音声）出力も表示コンテンツの音声に切り替えられる。
この時点で、表示コンテンツの表示期間が開始して、選局動作の完了待ち状態となる。
【００５２】
なお、ステップＳ１０２からステップＳ１０５までの処理は、表示コンテンツを検索して復号するための処理で、この期間は選局チャンネルの映像も表示コンテンツの映像も表示されないが、表示コンテンツの処理時間はデジタル放送の選局時間に比較して無視できる程度に短い。
【００５３】
次に、制御ＣＰＵ５がＭＰＥＧ２映像のＣｌｏｓｅｄ  ＧＯＰを検出して、選局されたＭＰＥＧ映像の復号が終了して同期が確立したことを検知すると（ステップＳ１０７）、デジタル放送受信装置の選局処理終了（即ち、放送映像が表示可能な状態）と判断して、ビデオ処理部５０３の出力は、表示コンテンツから選局チャンネルのビデオ（映像）出力やオーディオ（音声）出力へ切り換えられる（ステップＳ１０８）。
【００５４】
一方、上記のステップＳ１０３で、表示条件がヒットしない場合、検索条件を変更して（ステップＳ１０９）、再びステップＳ１０２からの検索手順を繰り返す。
以上で、選局時間中のコンテンツ表示動作が終了する。
【００５５】
なお、上記の実施の形態において、選局回数と表示コンテンツの関連付けは、昇順、降順または表示回数を引数として、特定の数理演算を行っても良い。また、選局回数と表示コンテンツの数は通常一致しないため、選局回数が表示コンテンツの数と一致したときに選局回数をクリアするなどの処理を行ってもよい。
【００５６】
また、表示シナリオは、デジタルデータで表示コンテンツと同時にロードされてもよいし、別にロードしてもよい。または、デジタル放送受信機に直接入力することで設定が行えるようにしてもかまわない。
【００５７】
ところで、複数の表示シナリオがデジタル放送受信機にロードされている場合、選局操作によって表示条件が表示シナリオ間で一致することも想定されるが、表示シナリオまたは表示条件に優先順位を付けておくことにより競合を回避できる。
【００５８】
ところで、デジタル放送受信機へ表示コンテンツをロードする手段としては、図３に示すＵＳＢインターフェース１や、ケーブルモデム２、電話モデム３、衛星放送の放送波、ＣＡＴＶ放送の放送波などがある。
表示コンテンツの提供者により手段は異なり、視聴者自身が保有するデジタルカメラの画像などはＵＳＢインターフェース１から、ＣＡＴＶ事業者が提供するＣＭなどはケーブルモデム２から、など以下に示す複数の手段が使用される。
【００５９】
デジタル放送受信機が衛星直接デジタル放送受信機の場合、高速デジタル信号ライン（ＩＥＥＥ１３９４または双方向通信ラインＥｔｈｅｒｎｅｔ（登録商標）等）により外部のＰＣなどからデジタル放送受信装置内部のメモリにダウンロードすることができる。
または、衛星放送ヘッドエンドシステム等からダウンロードすることもできる。視聴者が所有する表示用コンテンツをＰＣやＶＴＲからデジタル放送受信機にロードする場合に有効な方法である。
【００６０】
デジタル放送受信機がＣＡＴＶセットトップボックスの場合、ＣＡＴＶヘッドエンドからダウンロードすることや、ＣＡＴＶセットトップボックスへ搭載したケーブルモデムや電話モデムを使用しダウンロードすることもできる。
【００６１】
デジタル放送受信機に装備したＵＳＢインターフェース１を使用する場合、デジタルカメラで撮影してフラッシュメモリに記録した画像などを取り込むことができる。
【００６２】
次に、表示コンテンツの具体的な表示例について説明する。図６から図８は、選局時間中に表示されるコンテンツの検索や表示タイミングを概念的に示す模式図である。
【００６３】
図６は、図５に示す表示シナリオの表示シナリオ項目１および表示シナリオ項目２の表示条件として選局カウンターの昇順を選択し、他の表示シナリオ項目は検索優先順位が同じか、低い場合に、選局操作１によってファイル２、選局操作２によってファイル４がビデオ（映像）出力される例を示している。
図６では、表示シナリオ項目１が表示コンテンツのファイル２、表示シナリオ項目２が表示コンテンツのファイル４を指定していて、選局中の時間にそれらが順番に表示される様子を示している。
【００６４】
図７は、図５に示す表示シナリオの表示シナリオ項目の表示条件として、チャンネル番号および番組名を表示条件とした例を示している。
表示シナリオ項目１の表示条件は、選局操作１を実行したとき、この選局操作１の前に視聴していたチャンネル番号を表すサービスＩＤ（放送局固有のＩＤ）に対応した表示コンテンツファイルが選択されるものである。
すなわち、選局操作１の前に視聴していたチャンネルのサービスＩＤが１２であるので、これに一致した表示コンテンツファイルであるファイル２が選択される。
【００６５】
また、表示シナリオ項目２の表示条件は、選局操作２を実行したとき、この選局操作２の後の番組名を表すイベントＩＤ（番組固有のＩＤ）に対応した表示コンテンツファイルが選択されるものである。
すなわち、選局操作２の後に視聴する番組のイベントＩＤが６２８であるので、これに一致した表示コンテンツファイルであるファイル４が選択される。
そして、選局中の時間にそれらが表示される様子を示している。
【００６６】
図８は、図５に示す表示シナリオの表示シナリオ項目の表示条件として、選局操作時の現在時刻が指定時間帯（指定開始時刻ｔｓ１から指定終了時刻ｔｅ１までの時間帯）にあることを選択した例を示している。
図８では、選局操作１の選局操作時の現在時刻（選局開始時刻ｔｄ１）は、上記の指定時間帯の中（ｔｓ１＜ｔｄ１＜ｔｅ１の条件を満たす時刻）であるので、表示シナリオ項目１で指定するファイル２が選択される。
また、選局操作２の選局操作時の現在時刻（選局開始時刻ｔｄ２）も、上記の指定時間帯の中（ｔｓ１＜ｔｄ１＜ｔｅ１の条件を満たす時刻）であるので、表示シナリオ項目１で指定するファイル２が選択される。
従って、選局操作１および選局操作２の選局中の時間は、共にファイル２が表示される様子を示している。
【００６７】
次に、本発明の実施の形態の変形例として、表示コンテンツの表示時間を短縮するためのコンテンツ表示動作について説明する。
図９は、本発明の実施の形態の変形例のコンテンツ表示動作手順を示すフローチャートである。
本変形例では、視聴者による選局操作後（ステップＳ２０３）、直ちに表示コンテンツの映像に切り替えを行っている（ステップＳ２０４）。
前回の選局操作での選局処理終了後、表示シナリオの検索処理が行われ（ステップＳ２０６およびステップＳ２０７）、モノメディア復号処理部５０２が検索結果の表示コンテンツのファイルを復号して（ステップＳ２０９）、事前にグラフィックプレーンに書き込み（ステップＳ２１０）、ビデオ（映像）出力の準備をしている（ステップＳ２１１）からである。
本処理はデジタル放送受信機が複数のビデオプレーンを持ち、表示の準備ができる場合に適用できる。
社団法人電波産業会のデータ放送運用規格によればＢＳデータ放送デジタル放送受信機はデータ放送用にＮ個の表示プレーンを持つことを規定している。
すなわち、本実施の形態用に１プレーン追加すれば表示時間の短縮が可能となる。
但し、この表示処理では次に選局するチャンネル番号、番組名で表示シナリオを検索することはできない。
【００６８】
次に、表示コンテンツの表示切り替え動作の応用例について説明する。
本実施の形態では、選局操作により表示コンテンツを表示して、選局処理終了後（即ち、選局したチャンネルのビデオの同期確立時）にデジタル放送受信のビデオ（映像）出力、オーディオ（音声）出力を選局したチャンネルに切り換えているが、表示コンテンツを保持し、番組視聴中に視聴者のリモコン９１の操作により任意に表示することも可能である。
【００６９】
また、表示コンテンツにＷｅｂページを使用することにより、表示コンテンツの画面から指定のＷｅｂサイトにアクセスすることも可能である。
更に、本実施の形態の表示コンテンツの中にＪＡＶＡ（登録商標）Ｓｃｒｉｐｔなど埋め込み、指定の時刻をＨＴＭＬで表示条件として、コンテンツの切り換え時刻を設定することもできる。
【００７０】
以上の選局時間中におけるコンテンツ表示動作の具体例としては、フラッシュメモリカードに記録したデジタルカメラの画像を、本発明の実施の形態におけるデジタル放送受信機にロードし、デジタル放送の選局時間に家族の写真を表示して楽しむことができる。すなわち、誕生日、結婚記念日等、特別の日にはそれに相応しい写真をＴＶ１００に表示して楽しむこともできる。
【００７１】
また、ＣＡＴＶオペレータが表示コンテンツと表示シナリオをセンターから各ＳＴＢにダウンロードし、特定時間帯にあったＣＭを選局時間に表示することも可能である。
【００７２】
従来技術として、番組連動型データ放送（ＢＭＬを使用した放送サービス）があるが、コンテンツの制作には時間と費用がかかり、またＣＭの効果、影響等は番組連動というよりは放送時間帯、時節、記念日などの影響のほうが大きい場合が多い。
【００７３】
本発明の実施の形態に係るデジタル放送受信装置のコンテンツ表示によれば、例えば、プロ野球の放送時間帯の選局時間中にはスポーツ用品のＣＭ、夕刻における選局時間中にはスーパーの惣菜のＣＭなどを挿入するなど、番組連動のＣＭとは別の効果が期待できる。
【００７４】
更に、ＣＡＴＶ事業者はその地域の情報、自治体情報を従来のインターネットやメールなどの通信媒体を介さずに日常生活で親しみ易いＴＶを通して伝えることも可能である。
【００７５】
放送事業者にとっては番組制作と独立して視聴者に新しい方法で情報提供が可能になる。  例えば、番組の中で出演者が着ていた服を提供している会社のＣＭを視聴者がそのチャンネルを切り替えるときにＴＶ画面に表示することが可能であり、これらの情報は番組放送時間外で実現でき、放送の枠外で視聴者に情報提供が可能となる。
【００７６】
以上説明したように、本発明の実施の形態に係るデジタル放送受信装置は、デジタル画像コンテンツを含む表示コンテンツを外部より取得する表示コンテンツ取得手段と、前記表示コンテンツを記憶する表示コンテンツ記憶手段と、デジタル放送の選局操作をトリガーとしてデジタル放送の映像出力から前記表示コンテンツの映像出力に切り替え、選局されたチャンネルの映像の復号が終了して映像信号の同期確立を検出する選局完了時点で再び選局されたデジタル放送の映像出力に切り替える表示コンテンツ切り替え手段と、選局操作時刻から選局完了時刻までの選局時間中に、前記表示コンテンツを復号して表示する表示コンテンツ表示手段と、を有する。
これにより、デジタル放送特有の長い選局時間を視聴者が有効利用できる。また、放送サービスを提供する事業者等には新たなビジネスチャンスを提供する。特に、ＣＡＴＶ事業者等にとっては地域限定のＣＭ等を流すことで地域密着型サービスを提供するができ、収益源とすることができる。つまり、選局時間を利用して、新聞における折り込みチラシのような効果をもたらすことができる。
【図面の簡単な説明】
【００７７】
【図１】従来のＢＳデジタル放送受信装置の機能構成を示すブロック図である。
【図２】従来のＢＳデジタル放送受信装置の受信動作手順を示すフローチャートである。
【図３】本発明の実施の形態に係るデジタル放送受信装置の機能構成を示すブロック図である。
【図４】本発明の実施の形態に係るデジタル放送受信装置の選局時間中のコンテンツ表示動作手順を示すフローチャートである。
【図５】本発明の実施の形態に係るデジタル放送受信装置の主要機能の構成を示す模式図である。
【図６】選局時間中に表示されるコンテンツの検索や表示タイミングを概念的に示す模式図である。
【図７】選局時間中に表示されるコンテンツの検索や表示タイミングを概念的に示す模式図である。
【図８】選局時間中に表示されるコンテンツの検索や表示タイミングを概念的に示す模式図である。
【図９】変形例のコンテンツ表示動作手順を示すフローチャートである。
【符号の説明】
【００７８】
１  ＵＳＢインターフェース
２  ケーブルモデム
３  電話モデム
４  メモリ
５  制御ＣＰＵ
９０  リモコン受光部
９１  リモコン
１００  カードインターフェース
１０１  ＣＡＳカード
１１０  ＴＶ
１２０  フラッシュメモリカード
５０１  表示条件検索処理部
５０２  モノメディア復号処理部
５０３  ビデオ処理部
【図１】
2005295028.tif 000005
【図２】
2005295028.tif 000006
【図３】
2005295028.tif 000007
【図４】
2005295028.tif 000008
【図５】
2005295028.tif 000009
【図６】
2005295028.tif 000010
【図７】
2005295028.tif 000011
【図８】
2005295028.tif 000012
【図９】
2005295028.tif 000013